(57)【要約】【課題】履いて歩くだけで、縄跳びや爪先立ちの効果をえることができ、同時に、開張足の補助と足裏のアーチ補正と衝撃分散の効果によって、横のアーチを支えて鍛えことができる外反母趾対応履物を提供する。【解決手段】爪先側３を反り上げた履物本体２の内部で爪先側３から踵側５に至る間に弾性板１１を埋設し、前記履物本体２の踵側５にコイルスプリング１０でクッション性を付与し、前記履物本体２の上面に、人差し指から小指が納まる凹部１２と、開張足を抑制する中足骨サポート１３と、足の踵側を囲むヒールカップ１４を配置し、爪先側３を上方へ弧状に反り上げたことによりテコの原理が発生し、踵側５の上下運動と爪先側３の上下運動の組み合わせで、より縄跳び運動に近い効果が得られる。【選択図】図１
2008061960.tif 000002
【特許請求の範囲】
【請求項１】
爪先側を反り上げた履物本体の内部で爪先側から踵側に至る間に弾性板を埋設し、前記履物本体の踵側に、この踵側を上下二又状にしてその間に組み込んだ弾性部材でクッション性を付与し、前記履物本体の上面に、足指の人差し指から小指が重なる位置に設けられ、人差し指から小指が納まる凹部と、足の横アーチが臨む位置に突設され、開張足を抑制する中足骨サポートを配置した履物。
【請求項２】
上記履物本体の上面に、踵側の周縁に沿って足の踵側を囲むヒールカップを設けた請求項１に記載の履物。
【発明の詳細な説明】
【技術分野】
【０００１】
この発明は、外反母趾対応の履物、更に詳しくは、履いているだけで、縄跳びや爪先立ちの効果が得られ、足裏の横アーチを鍛えることで外反母趾の症状を緩和することができる履物に関する。
【背景技術】
【０００２】
足裏には、３つのアーチと呼ばれる弓形のカーブがあり、踵から親指の付け根を通る足の内側の縦アーチと、踵から小指の付け根を通る足の外側の縦アーチと、そして、親指の付け根と小指の付け根を通る横アーチであり、各アーチはそれぞれ板バネのように作用して、足に掛かる力を吸収、分散させるクッションになっている。
【０００３】
従って、何らかの原因で足のアーチ構造が崩れてしまうと、クッションの効きが悪くなり、荷重のバランスが変わって、足に思わぬ負担が掛かることになり、そして、外反母趾の最大の原因は、上記した足の横アーチの崩れである。
【０００４】
図３（ａ）は足Ａに生じた外反母趾の状態を示し、足の横のアーチが崩れて低下したことで、親指の大本の骨と足先の骨が、足指の付け根を境に大きな角度αを作り、親指が２番目の指の下に潜り込んだり上に乗るようになり、２番目や３番目の指の付け根に荷重が掛かって、タコや筋状の角質ができたり、足指に痛みを感じることになり、横アーチを支えなければ症状が悪化することになる。
【０００５】
従来、上記外反母趾の症状を緩和する有効な方法として、縄跳びが効果的であることが知られている。縄跳びのメカニズムは、図２（ｂ）のように、足Ａが爪先立ちの状態で着地することになるが、同図右側の着地時の状態から体重を支えるために、同図左側に示すように踵側が高さＨだけ下がることになり、これによって指先に力が加わることになり、このような指先に加わる力によって、図３（ｂ）のように、横のアーチＣを鍛え、足指の付け根を境とする角度が小さくなり、外反母趾対策に効果が得られるものである。
【発明の開示】
【発明が解決しようとする課題】
【０００６】
そこでこの発明は、上記のような縄跳びによる外反母趾対策の効果に着目し、履いて歩くだけで、縄跳びや爪先立ちの効果をえることができ、同時に、開張足の補助と足裏のアーチ補正と衝撃分散の効果によって、横のアーチを支えて鍛えことができる外反母趾対応履物を提供することを課題としている。
【課題を解決するための手段】
【０００７】
上記のような課題を解決するため、この発明は、爪先側を反り上げた履物本体の内部で爪先側から踵側に至る間に弾性板を埋設し、前記履物本体の踵側に、この踵側を上下二又状にしてその間に組み込んだ弾性部材でクッション性を付与し、前記履物本体の上面に、足指の人差し指から小指が重なる位置に設けられ、人差し指から小指が納まる凹部と、足の横アーチが臨む位置に突設され、開張足を抑制する中足骨サポートと、踵側の周縁に沿って設けられ、足の踵側を囲むヒールカップを配置した構成を採用したものである。
【０００８】
上記履物台である履物本体は、可撓性のある履物用材料を用い、爪先側に甲皮を設けてサンダルに形成され、踵側は踵後部から爪先側に向けて設けた切り欠きによって上台と下台の上下二又状となり、この上台と下台の対向面間にコイルスプリングを縮設し、踵部分にクッション性を付与していると共に、埋設した弾性板が爪先のローリング運動を補助し、爪先側を上方へ弧状に反り上げたことによりテコの原理が発生し、踵の上下運動と爪先の上下運動の組み合わせで、より縄跳び運動に近い効果が得られることになる。
【０００９】
また、人差し指から小指が納まる凹部は、履物本体を指で掴めるようにし、外反母趾対策に効果をもたせ、上記中足骨サポートは、開張足を抑制するように横のアーチを支えることになる。
【００１０】
更に、上記ヒールカップは、足の踵から両側に伸びるように、内側に傾斜を持たせて設けられ、足裏を定位置に保つと共に、足の接地範囲を広げ、衝撃吸収効果を発揮する。
【発明の効果】
【００１１】
この発明によると、爪先側を反り上げた履物本体の踵側にクッション性を付与したので、爪先側を上方へ弧状に反り上げたことによりテコの原理が発生し、埋設した弾性板が爪先のローリング運動を補助し、踵の上下運動と爪先の上下運動の組み合わせで、より縄跳び運動に近い効果が得られることになり、履いて歩くだけで、外反母趾の症状を緩和することができる。
【００１２】
また、この記履物本体の上面に、人差し指から小指が納まる凹部と、開張足を抑制する中足骨サポートと、足のヒールを囲むヒールカップを配置したので、人差し指から小指が凹部で履物本体を掴めることになり、外反母趾対策に効果をもたせ、中足骨サポートは、開張足を抑制するように横のアーチを支えることになり、開張足を補助して横アーチを鍛えることができる。
【００１３】
更に、上記ヒールカップが足の踵側を囲むことで足裏を定位置に保つと共に、足の接地範囲を広げ、衝撃吸収効果を発揮する。
【発明を実施するための最良の形態】
【００１４】
以下、この発明の実施の形態を添付図面に基づいて説明する。
【００１５】
図１のように、履物１は、履物台である履物本体２の爪先側３に甲皮４を設けてサンダルに形成され、履物本体２は、可撓性のある履物用材料を用いて上下多層構造に形成され、踵側５は踵後部から爪先側の途中に達するように設けた切り欠き６によって上台７と下台８の上下二又状となり、この上台７と下台８の対向面間に、両端をウレタン等の接着性の良い取付け部材９を用いて固定することにより、防錆処理を施したコイルスプリング１０を縮設し、踵側５にクッション性を付与している。
【００１６】
上記履物本体２の爪先側３は、上方に向けて弧状に反り上げた形状に成形され、爪先側３でローリング運動ができるようになっていると共に、この履物本体２の内部で爪先側３から踵側５に至る間に金属板バネを用いた弾性板１１が埋設され、前記埋設した弾性板１１が爪先側３のローリング運動を補助し、爪先側３を上方へ弧状に反り上げたことによりテコの原理が発生し、踵側５の上下運動と爪先側３の上下運動の組み合わせで、より縄跳び運動に近い効果が得られることになる。
【００１７】
上記履物本体２の上面に、足指の人差し指から小指が重なる位置に設けられ、人差し指から小指が納まる凹部１２と、足の横アーチが臨む位置に突設され、開張足を抑制する中足骨サポート１３と、踵側５の周縁に沿って設けられ、足の踵側を囲むヒールカップ１４が配置されている。
【００１８】
上記凹部１２は、揃えた人差し指から小指が納まることにより、外反母趾に関係のある開張足を補助すると共に、履物本体２を指で掴めるようにし、外反母趾対策に効果をもたせることになる。
【００１９】
上記中足骨サポート１３は、履物本体２の上面に突出することで、開張足を抑制するように横のアーチを支え、開張足を補助して横アーチを鍛えることになる。
【００２０】
また、ヒールカップ１４は、足Ａの踵から両側に沿って伸びるように、内側に傾斜を持たせて設けられ、足裏を定位置に保つと共に、足Ａの接地範囲を広げ、衝撃吸収効果を発揮する。
【００２１】
この発明の履物１は、上記のような構成であり、これを履いて歩くと、爪先側３が反り上がっていると共に踵側５にクッション性があり、爪先側３を上方へ弧状に反り上げたことによりテコの原理が発生し、埋設した弾性板１１が爪先側３のローリング運動を補助し、踵側５の上下運動と爪先側３の上下運動の組み合わせで、より縄跳び運動に近い効果が得られることになり、外反母趾の症状を緩和することができる。
【００２２】
また、上記履物本体２の上面に設けた凹部１２に人差し指から小指が納まり、開張足を補助すると同時に履物本体１を指で掴めるようにすることができ、しかも、足の横アーチが臨む位置に突設された中足骨サポート１３が横のアーチを支えることになり、開張足を補助して横アーチを鍛えることができる。
【００２３】
更に、ヒールカップ１４に足Ａの踵側が納まり、足裏を定位置に保つと共に、足Ａの接地範囲を広げ隙間を減らし、衝撃吸収効果を発揮する。
【００２４】
上記のように、この発明の履物１は、履いて歩くだけで縄跳びや爪先立ちの効果が得られ、足Ａの横アーチを鍛えることで、外反母趾の症状を緩和することができる。
【図面の簡単な説明】
【００２５】
【図１】（ａ）はこの発明に係る履物の斜視図、（ｂ）は同縦断側面図
【図２】（ａ）はこの発明に係る履物の使用状態を示す側面図、（ｂ）は縄跳びのメカニズムを示す説明図
【図３】（ａ）は外反母趾が発生した足の平面図、（ｂ）は縄跳び運動によって外反母趾対策に効果が得られる状態を示す平面図
【符号の説明】
【００２６】
１      履物
２      履物本体
３      爪先側
４      甲皮
５      踵側
６      切り欠き
７      上台
８      下台
９      取付け部材
１０    コイルスプリング
１１    弾性板
１２    凹部
１３    中足骨サポート
１４    ヒールカップ
【図１】
2008061960.tif 000003
【図２】
2008061960.tif 000004
【図３】
2008061960.tif 000005